(57)【要約】【課題】部品点数を増やすことなく、防水性を確実に向上させる。【解決手段】防水式の携帯電話機１において、充電池７が収容される電池収容部４ａを有する背面側キャビネット４と、電池収容部４ａを囲むリブ１１を有する電池蓋５と、電池収容部４ａの周縁と電池蓋５との間に挟まれ、充電池７を防水する防水パッキン１０とを設ける。防水パッキン１０に、リブ１１の側面１１ａに向かって膨出し、この側面１１ａに当接する第１膨出部１０ａと、第１膨出部１０ａとは異なる方向に膨出し、リブ１１の外周表面に当接する第２膨出部１０ｂとを設ける。【選択図】図１
2014093737.tif 000002
【特許請求の範囲】
【請求項１】
防水式の携帯端末において、
充電池が収容される電池収容部を有する携帯端末本体と、
上記携帯端末本体の少なくとも上記電池収容部を覆うと共に、上記電池収容部を囲むリブを有する電池蓋と、
上記電池収容部の周縁と上記電池蓋との間に挟まれ、上記充電池を防水する防水パッキンとを備え、
上記防水パッキンは、
上記リブの側面に向かって膨出し、該側面に当接する第１膨出部と、
上記第１膨出部とは異なる方向に膨出し、上記リブよりも外周又は内周の上記電池蓋表面に当接する第２膨出部とを有する
ことを特徴とする携帯端末。
【請求項２】
請求項１に記載の携帯端末において、
上記防水パッキンにおいて、上記第１膨出部と上記第２膨出部との間に、該第１膨出部及び第２膨出部に沿って延びる凹溝が凹陥されている
ことを特徴とする携帯端末。
【請求項３】
請求項１又は２に記載の携帯端末において、
上記防水パッキンにおいて、上記第１膨出部と上記第２膨出部との間に、該防水パッキンの長手方向を所定間隔に分断する防水壁が形成され、該防水壁と上記第１膨出部と上記第２膨出部と上記電池蓋とで防水区画がそれぞれ形成されている
ことを特徴とする携帯端末。
【発明の詳細な説明】
【技術分野】
【０００１】
本発明は、防水の携帯端末に関するものである。
【背景技術】
【０００２】
従来より、例えば、特許文献１のように、防水パッキンが、第一筐体を第二筐体に突き合わせた状態で、第一筐体の縁部分に密着し、防水パッキンの溝から突出した部分が、第一筐体により圧縮され、防水パッキン内側への浸水を防止するものが知られている。
【先行技術文献】
【特許文献】
【０００３】
【特許文献１】特開２０１１−２４４３７１号公報
【発明の概要】
【発明が解決しようとする課題】
【０００４】
しかしながら、従来の携帯端末では、枠状の防水パッキンから突出した部分を押さえ付けて密閉するようにしているので、圧縮が十分でない部分があると防水性を確保できないという問題があった。
【０００５】
本発明は、かかる点に鑑みてなされたものであり、その目的とするところは、部品点数を増やすことなく、防水性を確実に向上させることにある。
【課題を解決するための手段】
【０００６】
上記の目的を達成するために、この発明では、防水パッキンに２つの膨出部を設けた。
【０００７】
具体的には、第１の発明では、防水式の携帯端末を前提とし、
上記携帯端末は、
充電池が収容される電池収容部を有する携帯端末本体と、
上記携帯端末本体の少なくとも上記電池収容部を覆うと共に、上記電池収容部を囲むリブを有する電池蓋と、
上記電池収容部の周縁と上記電池蓋との間に挟まれ、上記充電池を防水する防水パッキンとを備え、
上記防水パッキンは、
上記リブの側面に向かって膨出し、該側面に当接する第１膨出部と、
上記第１膨出部とは異なる方向に膨出し、上記リブよりも外周又は内周の上記電池蓋表面に当接する第２膨出部とを有する。
【０００８】
上記の構成によると、第１膨出部とリブ側面との間及び第２膨出部とリブよりも外周又は内周の電池蓋表面との間の２箇所で防水パッキンが電池蓋に密着しているので、仮に一方で防水性が損なわれても、他方で防水性が確保され、電池収容部内に水等の液体が浸入しない。また１つの防水パッキンに第１膨出部と第２膨出部とを設けているので、部品点数が増えない。
【発明の効果】
【０００９】
以上説明したように、本発明によれば、防水パッキンに電池蓋のリブの側面に向かって膨出し、この側面に当接する第１膨出部と、第１膨出部とは異なる方向に膨出し、リブの外周又は内周表面に当接する第２膨出部と設けたので、部品点数を増やすことなく、防水性を確実に向上させることができる。
【図面の簡単な説明】
【００１０】
【図１】図２（ａ）のＩ−Ｉ線拡大断面図である。
【図２】（ａ）は、携帯電話機を正面から見た斜視図で、（ｂ）は、携帯電話機を背面から見た斜視図である。
【図３】携帯電話機を背面側から見た分解斜視図である。
【図４】背面側キャビネットを一部拡大して示す斜視図である。
【図５】電池蓋を一部拡大して示す斜視図である。
【図６】（ａ）は、防水パッキンを正面から見た斜視図で、（ｂ）は、防水パッキンを一部拡大して背面から見た斜視図である。
【発明を実施するための形態】
【００１１】
以下、本発明の実施形態を図面に基づいて説明する。
【００１２】
図２は本発明の実施形態の携帯端末としての携帯電話機１を示す斜視図であり、図１は、Ｉ−Ｉ線拡大断面図である。図３は、携帯電話機１を背面側から見た分解斜視図である。携帯電話機１は、例えば、スマートフォンであり、正面側に表示部２を有する正面側キャビネット３を備えている。正面側キャビネット３の背面側は、携帯端末本体としての背面側キャビネット４で覆われ、その背面側がさらに電池蓋５で覆われている。背面側キャビネット４の正面側には、回路基板６が嵌め込まれている。背面側キャビネット４において、回路基板６よりも背面側には、略矩形状の開口よりなる電池収容部４ａが形成されている。この電池収容部４ａには、矩形板状の充電池７が収容されている。なお、図１に示すように、正面側キャビネット３と背面側キャビネット４との間は、これら正面側キャビネット３及び背面側キャビネット４の周縁に配置された本体側防水パッキン８で防水されている。
【００１３】
図４は、背面側キャビネット４を一部拡大して示す斜視図であり、図５は、電池蓋５を一部拡大して示す斜視図である。図１にも示すように、電池収容部４ａの周縁には、背面側へ向かって突出するパッキン用突条４ｂが矩形枠状に立設されている。このパッキン用突条４ｂには、防水パッキン１０が一体に成形されている。一方、電池蓋５には、パッキン用突条４ｂよりも充電池７側に矩形状のリブ１１が立設されている。防水パッキン１０は、電池収容部４ａの周縁と電池蓋５との間に挟まれ、充電池７を防水する役割を果たしている。防水パッキン１０は、例えばシリコンゴムよりなるが、一部樹脂材料等を一体成形して形状保持性を高めてもよい。
【００１４】
図６（ａ）は、防水パッキン１０を正面から見た斜視図で、図６（ｂ）は、防水パッキン１０を背面から見た斜視図である。図１にも示すように、防水パッキン１０の内周側には、リブ１１の外周の側面１１ａに向かって水平に膨出して側面１１ａに当接する第１膨出部１０ａが形成されている。また、防水パッキン１０の外周側には、第１膨出部１０ａとは異なる方向、すなわち垂直方向に膨出し、リブ１１の外周の電池蓋５表面に当接する第２膨出部１０ｂが形成されている。
【００１５】
また、防水パッキン１０における第１膨出部１０ａと第２膨出部１０ｂとの間には、これら第１膨出部１０ａ及び第２膨出部１０ｂに沿って延びる凹溝１０ｃが凹陥されている。
【００１６】
さらに防水パッキン１０において、第１膨出部１０ａと第２膨出部１０ｂとの間に長手方向を所定間隔に分断する防水壁１０ｄが形成されている。この防水壁１０ｄにより、凹溝１０ｃは、分断されている。この防水壁１０ｄと第１膨出部１０ａと第２膨出部１０ｂと電池蓋５とで防水区画１０ｅがそれぞれ形成されている。
【００１７】
−実施形態の効果−
（１）本実施形態によると、第１膨出部１０ａとリブ１１の側面１１ａとの間及び第２膨出部１０ｂとリブ１１よりも外周の表面との間の２箇所で防水パッキン１０が電池蓋５に密着しているので、仮に一方で防水性が損なわれても、他方で防水性が確保され、電池収容部４ａ内に水等の液体が浸入しない。また１つの防水パッキン１０に第１膨出部１０ａと第２膨出部１０ｂとを設けているので、部品点数が増えない。
【００１８】
（２）防水パッキン１０において、第１膨出部１０ａと第２膨出部１０ｂとの間に両者に沿って延びる凹溝１０ｃを凹陥したので、電池蓋５を背面側キャビネット４に取り付けるときに防水パッキン１０に撓みがあっても、この凹溝１０ｃで吸収される。
【００１９】
（３）第１膨出部１０ａと第２膨出部１０ｂとの間に、防水パッキン１０の長手方向を所定間隔に分断する防水壁１０ｄを形成し、防水壁１０ｄと第１膨出部１０ａと第２膨出部１０ｂと電池蓋５とで防水区画１０ｅをそれぞれ形成したので、仮に１つの防水区画１０ｅに水等が浸入しても他の防水区画１０ｅに流れ込まない。このため、防水性能がさらに向上する。
【００２０】
以上説明したように、本発明によれば、防水パッキン１０に電池蓋５のリブ１１の側面１１ａに向かって膨出し、この側面に当接する第１膨出部１０ａと、第１膨出部１０ａとは異なる方向に膨出し、リブ１１の外周表面に当接する第２膨出部１０ｂと設けたので、部品点数を増やすことなく、防水性を確実に向上させることができる。
【００２１】
（その他の実施形態）
本発明は、上記実施形態について、以下のような構成としてもよい。
【００２２】
すなわち、上記実施形態では、防水パッキン１０を背面側キャビネット４に一体成形したが、別々に成形して背面側キャビネット４に接着したり、逆に電池蓋５側に接着したりしてもよい。
【００２３】
上記実施形態では、第１膨出部１０ａをリブ１１の外周の側面１１ａに当接させたが、パッキン用突条４ｂをリブ１１よりも充電池７側に配置して第１膨出部１０ａをリブ１１の内側の側面に当接させるようにしてもよい。また、凹溝１０ｃ及び防水壁１０ｄは、必ずしも設けなくてもよい。
【００２４】
さらに、上記実施形態では、携帯電話機１は、ストレートタイプとしているが、２つの筐体を折畳み開閉可能に連結する折畳み式携帯電話機や２つの筐体がスライド可能に連結されたスライド式携帯電話機であってもよい。その場合も充電池を収容する側の筐体に本発明の構造を設ければよい。
【００２５】
上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００２６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２７】
１      携帯電話機（携帯端末）
２      表示部
３      正面側キャビネット
４      背面側キャビネット（携帯端末本体）
４ａ    電池収容部
４ｂ    パッキン用突条
５      電池蓋
６      回路基板
７      充電池
８      本体側防水パッキン
１０      防水パッキン
１０ａ    第１膨出部
１０ｂ    第２膨出部
１０ｃ    凹溝
１０ｄ    防水壁
１０ｅ    防水区画
１１      リブ
１１ａ    側面
【図１】
2014093737.tif 000003
【図２】
2014093737.tif 000004
【図３】
2014093737.tif 000005
【図４】
2014093737.tif 000006
【図５】
2014093737.tif 000007
【図６】
2014093737.tif 000008